(57)【要約】【課題】観賞魚や水草を側面から観察できるように、２つの容器を用いて、下部の容器に、その水面上に突出した水柱をつくりだす上部の透明な容器を組み合わせるとき、いかなる用具も用いず極めて簡便に上部の容器に水を充たすことを可能にし、一般家庭でもごく容易に使用可能な形態にする。【解決手段】透明な上部容器Ａを下部容器Ｂの内部に収めた状態で上から水を注ぎ、次いで、上部容器Ａを、開口部４を下に向けた状態で引き起こしたとき、上部容器内に空気が入って水が落下することがないような位置範囲で上部容器を安定的に保持することにより、上部容器Ａの中に自然に水柱ができ、かつ、開口部４と下部容器の底面との間に観賞魚５が出入り可能な、ないしは水草６の茎を挿入可能な間隙３が確保されるように、上部容器Ａ、下部容器Ｂ、保持具Ｃの間に一定の寸法・形状・位置関係を設定し、一式に組み合わせる。【選択図】      図５
0003103814.tif 000002
【実用新案登録請求の範囲】
【請求項１】
観賞魚ないしは水草育成用の水槽ないしは容器（Ｂ）（以下、下部容器と略記）と、透明であって、端の一方が閉じ他方が開いており、閉じた側を上方に、開口部（４）を下方に向けて立てた状態で上記下部容器（Ｂ）と組み合わせ、その内部に下部容器の水面（２）より突出した水柱（１）を実現させる１個ないしは複数の上部容器（Ａ）（以下、一括して上部容器と略記）、および、これら容器を組み合わせる際に、上部容器（Ａ）の開口部が下部容器（Ｂ）の底面との間に観賞魚（５）の出入りが可能な程度に、または水草（６）の茎を挿入可能な程度に間隙（３）を有するようにこれを支えるための保持具（Ｃ）とを一式とし、使用上、上部容器（Ａ）に水を充たし水柱（１）を実現することを極めて簡易となす目的で、これら容器および保持具の形状、寸法ないし位置の間に下記（ア）〜（ウ）の関係を保つよう構成された一式型水槽。すなわち、
（ア）上部容器（Ａ）を横にすれば下部容器（Ｂ）の内側にすっかり収まり、その上から水を注げば、横になった下部容器（Ｂ）の内部に大きな体積の空気が残ることなく、上部容器（Ａ）がほぼ完全に水中に没することができる形状・寸法の関係。
（イ）上の状態から上部容器（Ａ）の閉じた側の端を引き起こすことができ、このとき、上記の間隙（３）が確保されると同時に、側面方向から見て、上部容器（Ａ）に出入りする観賞魚や水草が鑑賞できる程度に、その水面上に突出した部分の高さ（ｅ）を確保できる形状・寸法・位置の関係。
（ウ）立った状態の上部容器（Ａ）の開口部（４）に対し、下部容器（Ｂ）に残った水の水面の高さ（ｄ）が間隙（３）の高さ（ｆ）より低くなって上部容器の内部に空気が入り込むことがないよう、適切な範囲に上部容器を保つことができる形状・寸法・位置の関係。
【請求項２】
上部容器（Ａ）を下部容器（Ｂ）に対して請求項１に記載の状態で安定して支える、水中での耐久性に優れ、観賞魚の生育にとり安全な素材を用いた、固定式もしくは着脱式もしくは嵌め込み式の保持具（Ｃ１、Ｃ２、Ｃ３、Ｃ４、Ｃ５）。
【考案の詳細な説明】
【技術分野】
【０００１】
本考案は、観賞魚用水槽に関する技術分野に属し、特に、水槽ないしは容器に、これとは別個の透明な展望塔型の補助的容器を組み合わせて用い、水槽に入れた水と連続しつつその水面から上部へ突出した水柱を実現し、その水柱の中へ観賞魚を自由に往来させ、ないしは水草を挿入し、これらを側面方向から観察することができるようにするための水槽一式に関するものである。
【背景技術】
【０００２】
上部が開いた一般の容器と、これとは逆に上部は閉じ下部が開いた容器とを組み合わせ、大気圧を利用して、高低に差のある２段の連続した水ないしは水面を実現し、観賞魚を両容器間に往来させるという考案は、公開広報昭５６−１０３６７をはじめとして、過去に１０数件が申請されている。（公開広報昭５６−１０３６７、昭５６−７５８６９、昭５６−７５８７０、昭５６−９６９７０、昭５６−１３４１７０、昭５８−１７８８６７、昭５９−６４６５８、昭６０−２８８６１、昭６２−２４６５９、平７−７４１４、実用登録３０９２６７２、および意匠登録５８７５４７、同５８７５４９、同１１７１１５５、同１１７１１５６）。
【考案の開示】
【考案が解決しようとする課題】
【０００３】
背景技術に挙げた実施例は、上部に空気抜き栓を備える必要があったり、一般家庭で簡便に使用するには大がかりに過ぎるものであったりした。実用登録３０９２６７２は、家庭での使用の簡便性に留意したものであったが、上部の容器に水を充たすのにポンプや台所用ラップを必要とし、その簡便性はなお不十分である。総じて、従来の技術は一般家庭でごく簡単に使用しうる十分な簡便性、利便性を持たないところに問題があった。
【０００４】
本考案は従来の技術の有するこのような問題点に鑑みてなされたものであり、その目的とするところは、広く一般家庭での簡便な使用に供しうるような、すなわち、ポンプや台所用ラップ等の補助を一切使わず、ほぼワンタッチで上部の展望塔型補助容器に水を充たして、観賞魚や水草を側面方向から観察することを可能にするような、また、非使用時にはコンパクトに組み合わさって収納場所に困らないような、補助水槽組み込み型の水槽一式を提供することである。
【課題を解決するための手段】
【０００５】
上部の容器に水を充たす困難は、請求項１に示したように、２つの容器と保持具の形状、寸法、位置を一定の関係条件のもとで決定し、組み合わせることにより解決できる。利用者は、上部の容器を下部の容器内部に収めた状態でここに水を注ぎ入れ、次いで、横になった上部の容器を縦に引き起こしさえすれば、それだけで水の充填が完了する。充填の後は、保持具で上部の容器を固定し、観賞魚等が出入りできる間隙を水中に確保すればよい。
【０００６】
保持具は、上部の容器を、下部の容器の底面との間に一定間隙を確保しつつ、上部の容器に空気が入り込むことのない範囲に、固定するものでなければならないが、形態上はごく単純なもので足りる。重力を利用して、上部の容器を下部の容器の縁に斜めに立てかけ、上部の容器の開口部と下部の容器の底面との間に生じた間隙をそのまま観賞魚の通路として利用することもでき、この場合は、上部の容器が滑り落ちるのを防止する小突起状の保持具などで十分に目的を達する。
【考案の効果】
【０００７】
本考案は、上述のとおり構成されているので、次に記載する効果を奏する。
請求項１に示した上下両容器、保持具によって構成される水槽一式は、上部容器の中に観賞魚ないし水草を側面から観察可能で下部容器内の水と連続しつつ水面上に突出した水柱をたんに実現できるというばかりでなく、その際、上部容器内に水を充たすために、ポンプ他の一切の用具を必要とせず、誰でもほぼワンタッチでこれを実現できるという簡便性、またこれにより、実際使用時には頻繁に必要となる容器の洗浄等も、従来と比べ、格段に容易になるという簡便性をもつ。
【０００８】
また、この水槽は、卓上の隅など、ごく限られた場所でも観賞魚の上下方向の運動、縦長の水草の生育状態を鑑賞しうるという利便性、さらに、非使用時には下部容器の中に上部容器をすっかり収納でき、しまう場所を取らないという利便性を有し、広く一般家庭の使用に付することを可能にする。
【０００９】
請求項２の保持具は、ごく単純な構造で、上記組み込み型水槽一式を広範かつ多様な形態において実現することを可能にする。
【考案を実施するための最良の形態】
【００１０】
考案の実施の形態について図面を参照して説明する。
図１〜図９において、上部容器Ａは、ガラス、プラスチックなどの透明素材を押し出し成形加工する等の手段で形成されている。下部容器Ｂは陶器、磁器等、不透明の素材であって構わない。突起状、フック状あるいは台状等の保持具Ｃは、図２、図６におけるＣ１、Ｃ３の如く下部容器Ｂや上部容器Ａと同一素材で一体に形成するか、もしくは図４、図５におけるＣ２、Ｃ３の如く、下部容器に付属あるいは着脱可能のものとして金属その他の素材で別に形成する。固定式とする場合、接着剤を用いてもよい。また、下部容器Ｂの底面自体に段差を設け、これをそのまま保持具として利用しても構わない。なお、図７のＣ５における如く、上下両容器を嵌め込んで上部容器を、    当初上部容器位置１３、先端部動径１４で示したように、可動式とする方法等も可能である。
【００１１】
上部容器Ａは、水を満たした場合でも人がその閉じた端を持って容易に引き起こすことができる程度の寸法とし、かつ、例えばガラスのように重く割れやすい素材では強度を保持するため十分な肉厚を確保する。また、上部容器Ａを、開口部４が側面に向くよう横に、倒したときに、上部容器Ａ全体が下部容器Ｂに収まり、上から水を注いだときに上部容器Ａ内部に空気が残らないように、他方、立てたときには、下部容器Ｂ中の水面より突出してその内部の観賞魚等が側面方向からも十分観察可能な程度に大きな高さが保持されるよう、請求項１記載の関係条件（ア）〜（ウ）に従って、両容器の形状、寸法を調整する。
【００１２】
この条件の範囲内ならば、保持具の方式、素材、形状は上に示した如く多様でありうるが、安定性確保の上で、個々の形状に応じて、それぞれに留意点が生ずる。図３における小突起状の保持具Ｃ１では、上部容器Ａを下部容器Ｂの縁に立てかけたときに倒れず安定するよう、保持具の保持位置８、上部容器の重心１１、縁の立てかけ位置９の配置がいま挙げた順序となる等に留意しつつ決定する。上部容器Ａの下部に支点が生ずる図４におけるＳ字フック状の保持具Ｃ２、図７における回転軸固定式の保持具Ｃ５でも、上部容器を縁に立てかけて安定させる場合は、同様の位置関係に留意する。
【００１３】
図６におけるフック状の保持具Ｃ４では、フックを縁に設置するときガタつかず、倒れないように、縁の肉厚等に応じ、フックとの間の遊びの寸法・形状ほかを調整する。また、図５における台状の保持具Ｃ３では、小型の台1個から数個を用いるが、上部容器Ａをその上に置いたときに揺れずに安定するよう、滑りにくい素材を用いる、上部容器Ａの縁を固定できる溝を付するなどで調整する。
【実施例】
【００１４】
請求項１記載の関係条件を以下に具体的に見る。図１は、略円柱状で透明な上部容器Ａと略直方体状の下部容器Ｂとを組み合わせ、小突起状の保持具Ｃによって上部容器Ａを下部容器Ｂの縁７に立てかけて安定させた例を示す。図３はその断面図である。この例の場合、請求項１に記載したように、
（ア）図２に示すように、上部容器Ａは下部容器Ｂにすっぽりと収まり、水を注いだときに上部容器Ａ内の空気が抜ける形状・寸法とし、
（イ）図３に示すように、一方で、立てた状態での上部容器Ａが、側面からの鑑賞が十分に可能なだけの水柱高ｅを保ち、なおかつ、観賞魚の出入りが可能な程度に間隙高ｆが確保されると同時に、
（ウ）他方、図３の状態での水面２が、図２の状態で水を注いだときの当初水面１２から下がりすぎて間隙高ｆより低くならないよう、
それぞれ、上下両容器および保持具Ｃ１の寸法・位置関係を調整する。
【００１５】
上の関係をより具体的に数値で見るために、上部、下部容器がともに直方体である単純な場合で計算してみる。図５においては、関係条件（ア）を満たすため、上部容器Ａは内法が１０ｃｍ×１０ｃｍ×２０ｃｍの、下部容器Ｂは内法が９ｃｍ×９ｃｍ×１７ｃｍの直方体とし、４個の台状の保持具Ｃ３によって、上部容器は鉛直の方向に立っているものと仮定する。この場合、（イ）、（ウ）について見ると、保持具Ｃ３の高さ、従ってまた間隙高ｆの大きさは、いま上部容器の素材の厚みや観賞魚、保持具の体積等より生ずる誤差を無視すれば、簡単な計算：
{（１０×２０）−（９×９）}ｄ＋（９×９）×（１７＋ｆ）＝２０００
ｆ＜ｄ    （単位はｃｍ：以下同様）
から明らかなように、当初、下部容器の縁７ぎりぎりまで水を充たしていたとしても、水の追加という面倒を避ける限りは、
水面高ｄ＝間隙高ｆ＝３．１２  （小数点３位以下四捨五入：以下同様）
のときより大きくすることができない。そこから、間隙高ｆの大きさが観賞魚等の出入りのために２ｃｍ以上必要であるとするならば、この例では、
２＜ｆ＜３．１２
という範囲が導かれる。従って、保持具Ｃ３の高さもこの範囲で決定しなければならない。なお、同じ条件下では水柱高ｅについても、間隙高ｆが２ｃｍ、水面高ｄが３．８７ｃｍのときに最小、ｆ、ｄともに３．１２ｃｍのとき最大となり、
１５．１３＜ｅ＜１７
となることが計算できる。
【００１６】
また、条件（イ）に示したように、水を入れるときに横にして下部容器Ｂに収めた上部容器Ａは、その先端部を持って引き起こせる範囲の寸法でなくてはならないが、図５に示した例でこれが可能であるのは、上部容器Ａの断面図上の最大長が対角線の長さ１９．２４ｃｍにあたり、これが下部容器Ｂの内法の最大幅２０ｃｍ以下であることから、明らかである。
【００１７】
なお、上部容器Ａ、下部容器Ｂの形状も、上記の関係条件を満たす限りは、様々であって構わない。図８に略瓢箪型の下部容器Ｂに略角柱状、およびアーチ型のパイプ状の上部容器Ａを配した例を示す。保持具Ｃは小突起型を例示したが、他の方式を併用して構わない。図９は図８の例において、２個の上部容器Ａが下部容器Ｂに収まった状態の平面図である。
【図面の簡単な説明】
【００１８】
【図１】実際使用時の上部容器と下部容器の組み合わせの斜視図である。
【図２】上部容器を下部容器に収めて水を注ぐときの断面図である。
【図３】水を注いだ後に上部容器を立てた状態の断面図である。
【図４】Ｓ字フック状の保持具で上部容器を固定した場合の断面図である。
【図５】台状の保持具を用いて上部容器を設置した場合の断面図である。
【図６】フック状の保持具で上部容器を固定した場合の断面図である。
【図７】回転軸固定式の保持具で上部容器を固定した場合の断面図である。
【図８】応用例として、瓢箪型下部容器と２つの変形上部容器を組み合わせたものの斜視図である。
【図９】図８の例で、上部容器を下部容器に収めたときの平面図である。
【符号の説明】
【００１９】
Ａ    上部容器
Ｂ    下部容器
Ｃ、Ｃ１、Ｃ２，Ｃ３，Ｃ４，Ｃ５    保持具
ｄ    水面高
ｅ    水柱高
ｆ    間隙高
１    水柱
２    水面
３    間隙
４    開口部
５    観賞魚
６    水草
７    縁
８    保持位置
９    立てかけ位置
１０    掛け位置
１１    重心
１２    当初水面
１３    当初上部容器位置
１４    先端部動径
【図１】
0003103814.tif 000003
【図２】
0003103814.tif 000004
【図３】
0003103814.tif 000005
【図４】
0003103814.tif 000006
【図５】
0003103814.tif 000007
【図６】
0003103814.tif 000008
【図７】
0003103814.tif 000009
【図８】
0003103814.tif 000010
【図９】
0003103814.tif 000011